(57)【特許請求の範囲】
【請求項１】
切削加工により形成された湾曲面からなる周面と、鋸刃の切断により形成された平坦面からなる両端面を備えた多数の木製の躯体を収納部に移動自在に収納し、前記収納部を対向する枠体である固定部間に配置し、前記枠体は上面を円弧状とした檜材により形成した消臭、抗菌機能をもつマッサージ器具。
【請求項２】
前記躯体に貫通孔を形成した消臭、抗菌機能をもつ請求項１に記載のマッサージ器具。
【請求項３】
前記躯体を檜材で形成し、前記収納部に交換自在に収納した請求項１、２に記載の消臭、抗菌機能をもつマッサージ器具。
【請求項４】
前記収納部がメッシュの袋状部である請求項１、２、３に記載の消臭、抗菌機能をもつマッサージ器具。
【発明の詳細な説明】
【０００１】
【産業上の利用分野】
本発明は檜などの自然木を利用したマッサージ器具にかんする。
【０００２】
檜などの木材にはヒノキチオール、ヒトンチッドなどの消臭、抗菌木野を持つ有効成分が含まれていることが知られている。本発明はこのような自然木のもつ消臭、抗菌機能を利用したマッサージ器具にかんする。
【０００３】
本発明にかかるマッサージ器具は、切削加工により形成された湾曲面からなる周面と、鋸刃の切断により形成された平坦面からなる両端面を備えた多数の木製の躯体を収納部に移動自在に収納し、前記収納部を対向する枠体である固定部間に配置し、前記枠体は上面を円弧状とした檜材により形成した。
【０００４】
また前記躯体を檜材で形成し、前記躯体に貫通孔を形成し、前記収納部に交換自在に収納し、あるいは前記収納部がメッシュなどの袋状部とした。
【０００５】
【発明の実施の形態】
本発明にかかる消臭、抗菌材について図面に基ずいて説明すると、消臭、抗菌材は、切削加工により形成された湾曲面からなる周面２と、鋸刃の切断により形成された平坦面を両端面３、３とする多数の木製の躯体１が収納部に収納してあり、躯体１は収納部４内で移動自在に収納してある。
【０００６】
木製の躯体１は、桧、杉などの自然木を鋸刃で切断して一定長さと太さの木材に形成し、次に両端を固定した木材を回転させながら、切削刃を木材の側面から当て、切削加工を行ない所定の湾曲面を形成し、さらにこれを鋸刃で適当な長さに切断し、両端面が平坦面の躯体１を形成する。切削加工で形成された躯体の周面２は、表面にざらつきがないから、自然木がもつ木肌が現出し、湾曲面であることとあいまって感触のよいものとなる。
【０００７】
桧、杉などの木材にはヒノキチオール、ヒトンチッドなどの有効成分が含まれており、芳香、消臭作用、抗菌作用などの機能のあることが知られている。本発明においても躯体１からヒノキチオール、ヒトンチッドなどの有効成分が発散し、消臭、抗菌などの有用な機能を発揮する。躯体に貫通孔５を形成することができ、この場合、躯体の貫通孔５からも有効成分が発散する。貫通孔５の形成位置、数に制限はない。
【０００８】
躯体１は桧で形成するのが望ましく、収納部４に交換自在に収納される。収納部はメッシュなどの袋状部とすることができる。多数の躯体１はメッシュなどで形成された袋状の収納部に収納される。収納部４にジッパーを装着して開口８を開閉自在にし、あるいは紐（図示せず）を用いて開口を開閉自在にし、開放開口より躯体を適宜に入れ替えることができる。収納部４の形状、構成に制限はない。収納部４に収納される躯体１の量は適宜に調整する。
【０００９】
さらに収納部４は他の固定部１１、例えば、枠材などの着脱自在に取り付けることができ、これにより安定した使用が可能となる（図１７参照）。この場合、一方のマジックテープ（公知の手段）１３を収納部の両端部１２に、またこれに対応する他方のをマジックテープを固定部の底部１４にそれぞれ設け、マジックテープ（公知の手段）を介して収納部４を固定部１１に着脱できる。この収納部４を固定部１１に着脱自在に固定するには他の種々な公知手段などを使用できる。
【００１０】
また本発明にかかるマッサージ器具、浴用器具１０は、切削加工により形成された湾曲面からなる周面２と、鋸刃の切断により形成された平坦面を両端面３とする木製の多数の躯体１が収納部に移動自在に収納してあり、また対向する枠体などの固定部１１の間に収納部４を配置して消臭、抗菌などの有効機能を発揮するとともに、マッサージ用、浴用として使用される。
【００１１】
すなわち収納部４の構造は前記のものと同様であり、収納部に収納された木製の躯体１はノキチオール、ヒトンチッドなどの有効成分を発散し、消臭、抗菌などの有用の機能を発揮する。また多数の躯体１を収納部４に交換自在に収納してあり、収納部４をメッシュなどの袋状とすることができる。躯体１を桧などの木製とし、メッシュなどの袋状の収納部４にジッパーなどを装着して開閉自在の開口８を形成し、開口８より躯体１を適宜に入れ替えることができる。
【００１２】
収納部４内の多数の躯体１を足裏で踏みつけるようにして足裏を適宜に刺激し、マッサージ効果を得ることができる（足踏みマッサージ）。また収納部４を直接に肌にこすり付けるようにしてマッサージを行なうこともできる。躯体の周面２は切削加工により形成されて湾曲面であり、表面にざらつきがないから、皮膚を傷付けない。躯体１は縦断面を円形、あるいはほぼ円形にし一定方向への回転移動が可能であるから、皮膚などを全体的かつ効果的にマッサージすることができる。強く踏み付けたり、押し付けた場合、躯体１が回転移動して緩衝作用をもつ。躯体１には貫通孔５を形成することができる。貫通孔５を形成したときは躯体１の内部からも有効成分が発散して消臭、抗菌などの機能を発揮する。
【００１３】
収納部４は両端部１２を対向する枠体１１にそれぞれ固定し、枠体１１の間に配置してある。収納部の両端部１２を枠体１１に固定する手段（たとえば両端部を接着剤などで接着）に制限はない。枠体１１は収納部の両端部１２だけでなく、収納部４の周縁を囲むように形成してもよく、また枠体で箱状物を形成してもよい（図１９参照）。枠体１１上面を円弧状に形成し、枠体１１上面に足の裏などを押し当て、躯体１とともにマッサージをすることができる。上面を円弧状にした枠体にはは断面円形あるいは断面半円形の棒材を使用することができる。躯体１のほか枠体１１を桧で作ると有効成分による機能（芳香、消臭、抗菌作用など）が強化される。
【００１４】
マッサージ器具１０はヒノキチオール、ヒトンチッドなどの有効成分が躯体表面（周面２と両端面３）から発散し、また貫通孔５を形成したときは躯体１の内部からも発散する。これによりマッサージをおこなう際に、消臭、抗菌などの有用な機能を発揮し、使用者の気分を爽快にする。
【００１５】
浴用器具１０は、マッサージ器具とその構造は同一であり、浴室あるいは浴槽水中で使用することができる。すなわち、躯体１に含まれるヒノキチオール、ヒトンチッドなどの有効成分が躯体表面（周面と両端面）から発散し、貫通孔５を形成するとは躯体１の内部からも有効成分が発散して消臭、抗菌などの機能を発揮する。浴槽中で使用する場合、有効成分が躯体表面から浴槽水中に発散し、あるいは溶出する。また貫通孔５を形成したときは、躯体１の内部からも有効成分が浴槽水中に発散し、あるいは溶出し、消臭、抗菌などの機能を発揮する。
【００１６】
浴用器具１０は、浴槽水に浮いた状態で使用してもよく、また浴槽中の配置して使用してもよい（図示せず）。収納部４内の躯体の周面２は切削加工により形成された湾曲面であり、表面にざらつきがないから肌を傷付けない。躯体１に貫通孔５を形成した場合、浴槽中で使用後、濡れた躯体１は周面２だけでなく貫通孔３より水分が蒸発し、乾燥が早く容易である。浴室内や浴槽内で使用し、消臭、カビの発生などを押えることができる。
【００１７】
マッサージ器具１０、浴用器具１０いずれの場合においても収納部４を枠体１１に着脱自在に形成することができる。収納部４を枠体１１に着脱自在に形成する具体的な構造は問わない。各種の公知の手段を採用することがでる。例えば、前記のように、固定部の底面と収納部の両端部１２に互いに掛け外しできるマジックテープ１３を取り付け、その掛け外しにより着脱をおこなう。
【００１８】
【発明の効果】
このように本発明にかかるマッサージ器具は檜などの自然木を利用することにより自然（マイルド）な消臭、抗菌効果を発揮し、有用である。なお本マッサージ器具は浴用器具として使用できる。
【図面の簡単な説明】
【図１】本発明にかかるマッサージ器具に用いられる躯体の側面図である。
【図２】同他の構造の躯体の側面図である。
【図３】同他の構造の躯体の側面図である。
【図４】同他の構造の躯体の側面図である。
【図５】同他の構造の躯体の側面図である。
【図６】同他の構造の躯体の側面図である。
【図７】同他の構造の躯体の側面図である。
【図８】同他の構造の躯体の側面図である。
【図９】同他の構造の躯体での側面図である。
【図１０】同他の構造の躯体の側面図である。
【図１１】同他の構造の躯体の側面図である。
【図１２】同他の構造の躯体の側面図である。
【図１３】同他の構造の躯体の側面図である。
【図１４】同他の構造の躯体の側面図である。
【図１５】同他の構造の躯体の側面図である。
【図１６】同他の構造の躯体の側面図である。
【図１７】本発明にかかるマッサージ器具の斜視図である。
【図１８】同他の構造のマッサージ器具の斜視図である。
【図１９】同他の構造のマッサージ器具の斜視図である。
【図１】
0003774923.tif 000002
【図２】
0003774923.tif 000003
【図３】
0003774923.tif 000004
【図４】
0003774923.tif 000005
【図５】
0003774923.tif 000006
【図６】
0003774923.tif 000007
【図７】
0003774923.tif 000008
【図８】
0003774923.tif 000009
【図９】
0003774923.tif 000010
【図１０】
0003774923.tif 000011
【図１１】
0003774923.tif 000012
【図１２】
0003774923.tif 000013
【図１３】
0003774923.tif 000014
【図１４】
0003774923.tif 000015
【図１５】
0003774923.tif 000016
【図１６】
0003774923.tif 000017
【図１７】
0003774923.tif 000018
【図１８】
0003774923.tif 000019
【図１９】
0003774923.tif 000020